【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
交流電動機へ出力する電圧指令を演算するコントローラと、入力される交流電源の電圧位相を検出し、入力電圧検出信号を出力する入力電圧検出回路と、出力電流を検出し、出力電流検出信号を出力する出力電流検出回路と、前記入力電圧検出信号及び前記出力電流検出信号の論理状態に基づき、双方向スイッチの点弧順を切り替える転流シーケンス制御回路群と、を備え、前記交流電源の各相と前記交流電動機の各相を前記双方向スイッチで接続し、前記電圧指令に応じた電圧を最大電圧・中間電圧・最低電圧の三レベルのＰＷＭ信号で前記双方向スイッチを駆動して前記交流電動機に出力するマトリクスコンバータであって、
前記コントローラは、前記ＰＷＭ信号の所定の遷移タイミングで前記中間電圧のＰＷＭ信号のＯＮ時間を所定時間確保（最小時間確保処理）し、
前記転流シーケンス制御回路群は、前記三レベルのＰＷＭ信号に対しスイッチング遅れ時間補正用のシフトレジスタを用いてデッドタイム補正処理を施し、さらに、該デッドタイム補正処理後の前記三レベルのＰＷＭ信号のＯＮ時間とＯＦＦ時間が所定値以下の部分に対し、所定時間確保（追加補正処理）することを特徴とするマトリクスコンバータ。
【請求項２】
前記最小時間確保処理は、前記中間電圧のＰＷＭ信号から前記最大電圧のＰＷＭ信号へと遷移するタイミング及び前記最大電圧のＰＷＭ信号から前記中間電圧のＰＷＭ信号へと遷移するタイミングで、少なくとも前記中間電圧のＰＷＭ信号のＯＮ時間を延ばすか、あるいは最大電圧のＰＷＭ信号のＯＦＦ時間を延ばすことを特徴とする請求項１に記載のマトリクスコンバータ。
【請求項３】
前記追加補正処理は、最小時間確保用のシフトレジスタを用いて該シフトレジスタの上位ビットと下位ビットが“１”であればその間のビットは全て“１”とし、“０”であればその間のビットは“０”として前記三レベルのＰＷＭ信号を生成することを特徴とする請求項１または２に記載のマトリクスコンバータ。
【請求項４】
交流電源の各相と交流電動機の各相を双方向スイッチで接続し、電圧指令に応じた電圧を最大電圧・中間電圧・最低電圧の三レベルのＰＷＭ信号で前記双方向スイッチを駆動して前記交流電動機に出力するマトリクスコンバータの出力電圧制御方法であって、
入力される交流電源の電圧位相を検出し、入力電圧検出信号を出力するステップと、
出力電流を検出し、出力電流検出信号を出力するステップと、
前記入力電圧検出信号及び前記出力電流検出信号の論理状態に基づき、双方向スイッチの点弧順を切り替えるステップと、
前記中間電圧のＰＷＭ信号から前記最大電圧のＰＷＭ信号へと遷移するタイミング及び前記最大電圧のＰＷＭ信号から前記中間電圧のＰＷＭ信号へと遷移するタイミングで、少なくとも前記中間電圧のＰＷＭ信号のＯＮ時間を延ばすか、あるいは最大電圧のＰＷＭ信号のＯＦＦ時間を延ばすステップと、
前記三レベルのＰＷＭ信号に対し、スイッチング遅れ時間補正用のシフトレジスタを用いてデッドタイム補正処理を行うステップと、
前記三レベルのＰＷＭ信号のＯＮ時間とＯＦＦ時間が所定値以下の部分に対し、最小時間確保用のシフトレジスタの上位ビットと下位ビットが“１”であればその間のビットは全て“１”とし、“０”であればその間のビットは“０”として前記三レベルのＰＷＭ信号を生成するステップと、
を備えて、前記ＰＷＭ信号の更新を周期毎に実施することを特徴とするマトリクスコンバータの出力電圧制御方法。
【手続補正２】
【補正対象書類名】明細書
【補正対象項目名】０００６
【補正方法】変更
【補正の内容】
【０００６】
上記問題を解決するため、本発明は、次のように構成したのである。
請求項１に記載の発明は、交流電動機へ出力する電圧指令を演算するコントローラと、入力される交流電源の電圧位相を検出し、入力電圧検出信号を出力する入力電圧検出回路と、出力電流を検出し、出力電流検出信号を出力する出力電流検出回路と、前記入力電圧検出信号及び前記出力電流検出信号の論理状態に基づき、双方向スイッチの点弧順を切り替える転流シーケンス制御回路群と、を備え、前記交流電源の各相と前記交流電動機の各相を前記双方向スイッチで接続し、前記電圧指令に応じた電圧を最大電圧・中間電圧・最低電圧の三レベルのＰＷＭ信号で前記双方向スイッチを駆動して前記交流電動機に出力するマトリクスコンバータであって、前記コントローラは、前記ＰＷＭ信号の所定の遷移タイミングで前記中間電圧のＰＷＭ信号のＯＮ時間を所定時間確保（最小時間確保処理）し、  前記転流シーケンス制御回路群は、前記三レベルのＰＷＭ信号に対しスイッチング遅れ時間補正用のシフトレジスタを用いてデッドタイム補正処理を施し、さらに、該デッドタイム補正処理後の前記三レベルのＰＷＭ信号のＯＮ時間とＯＦＦ時間が所定値以下の部分に対し、所定時間確保（追加補正処理）するものである。
【手続補正３】
【補正対象書類名】明細書
【補正対象項目名】０００７
【補正方法】変更
【補正の内容】
【０００７】
また、請求項２に記載の発明は、請求項１に記載のマトリクスコンバータにおいて、前記最小時間確保処理は、前記中間電圧のＰＷＭ信号から前記最大電圧のＰＷＭ信号へと遷移するタイミング及び前記最大電圧のＰＷＭ信号から前記中間電圧のＰＷＭ信号へと遷移するタイミングで、少なくとも前記中間電圧のＰＷＭ信号のＯＮ時間を延ばすか、あるいは最大電圧のＰＷＭ信号のＯＦＦ時間を延ばすものである。
また、請求項３に記載の発明は、請求項１または２に記載のマトリクスコンバータにおいて、前記追加補正処理は、最小時間確保用のシフトレジスタを用いて該シフトレジスタの上位ビットと下位ビットが“１”であればその間のビットは全て“１”とし、“０”であればその間のビットは“０”として前記三レベルのＰＷＭ信号を生成するものである。
【手続補正４】
【補正対象書類名】明細書
【補正対象項目名】０００８
【補正方法】変更
【補正の内容】
【０００８】
上記問題を解決するため、本発明は、次のようにするのである。
請求項４に記載の発明は、交流電源の各相と交流電動機の各相を双方向スイッチで接続し、電圧指令に応じた電圧を最大電圧・中間電圧・最低電圧の三レベルのＰＷＭ信号で前記双方向スイッチを駆動して前記交流電動機に出力するマトリクスコンバータの出力電圧制御方法であって、入力される交流電源の電圧位相を検出し、入力電圧検出信号を出力するステップと、出力電流を検出し、出力電流検出信号を出力するステップと、前記入力電圧検出信号及び前記出力電流検出信号の論理状態に基づき、双方向スイッチの点弧順を切り替えるステップと、前記中間電圧のＰＷＭ信号から前記最大電圧のＰＷＭ信号へと遷移するタイミング及び前記最大電圧のＰＷＭ信号から前記中間電圧のＰＷＭ信号へと遷移するタイミングで、少なくとも前記中間電圧のＰＷＭ信号のＯＮ時間を延ばすか、あるいは最大電圧のＰＷＭ信号のＯＦＦ時間を延ばすステップと、前記三レベルのＰＷＭ信号に対し、スイッチング遅れ時間補正用のシフトレジスタを用いてデッドタイム補正処理を行うステップと、前記三レベルのＰＷＭ信号のＯＮ時間とＯＦＦ時間が所定値以下の部分に対し、最小時間確保用のシフトレジスタの上位ビットと下位ビットが“１”であればその間のビットは全て“１”とし、“０”であればその間のビットは“０”として前記三レベルのＰＷＭ信号を生成するステップと、を備えて、前記ＰＷＭ信号の更新を周期毎に実施するのである。